(57)【特許請求の範囲】
【請求項１】
バッテリーと、
前記バッテリーに着脱可能に電気的に接続される接続端子と、
前記接続端子に電気的に接続され前記バッテリーの状態を監視するバッテリー状態監視
装置と、
前記バッテリーの電極に前記接続端子が正しく接続されているか否かを検出するバッテ
リー接続検知手段と、を備え、
前記バッテリー接続検知手段は、接触端子と絶縁体から構成され、
前記接触端子は、前記接続端子に形成されかつ前記バッテリーの電極に当該接続端子を導通させる互いに対向した一方の締め付け部と他方の締め付け部との間に配置され、前記接続端子を前記バッテリーの電極に締め付けた際に前記接触端子も前記バッテリーの電極に接触し、前記接続端子の締め付け部を前記バッテリーの電極から緩めた時に接触端子が前記バッテリーの電極から離間するように介装され、
前記絶縁体は、前記接続端子の一方の締め付け部と前記接触端子との間に介装されており、
前記バッテリー接続検知手段によって、前記バッテリー交換時に前記絶縁体を介して前記接続端子の一方の締め付け部と前記接触端子との間を電気的に絶縁させると共に、前記接続端子の他方の締め付け部と前記接触端子が所定距離離間することで、揮発性メモリを搭載する機器に電力を供給するバックアップ電池から前記バッテリー状態監視装置への電力供給を遮断することを特徴とするバッテリーの接続監視装置。
【発明の詳細な説明】
【技術分野】
【０００１】
本発明は、例えば車両に搭載されているバッテリーが取り外されたか否かを監視するバッテリーの接続監視装置に関する。
【背景技術】
【０００２】
従来からバッテリーの交換に伴う非接続を検知する装置は知られている（例えば特許文献１参照）。係るバッテリー非接続検出装置は、無線電話システムの基地局に設置されたバッテリーを交換する際に、この交換をバッテリーの非接続検出装置によって検知し、この検知信号を用いてバッテリーの充電状態を監視する充電／放電カウンタを再度リセットするようになっている。なお、この基地局に設置されたバッテリーには、バッテリー交換の際のバックアップ電池が備わっていない構成となっている。
【特許文献１】特開２０００−２０１４３６号公報（段落（０００６）、（０００７）、図１および図２）
【発明の開示】
【発明が解決しようとする課題】
【０００３】
一方、車両に関しては、近年ＥＣＵ（Electronic control unit）、パワーウィンドモータ、オーディオ、ナビゲーションシステム、着座者の姿勢記憶用メモリ付きのシート、車両の横滑り防止装置、およびセキュリティシステムなどの電気機器や電子機器等に代表される様々な電装品を搭載するとともに、バッテリー交換時にこれら電装品の設定情報が消去しないようにバッテリーを取り外してもこれらに電力を常に供給できるバックアップ電池を取り付けたりする。
【０００４】
また、車両の状態を更に的確に判断するために、バッテリーにバッテリー状態監視装置が備わるようになっている。係るバッテリー状態監視装置は、従来のバッテリーの電流のみを検出するバッテリー電流検出装置とは異なり、バッテリーの電流、電圧およびインピーダンスを測定してこれを記憶し、バッテリーの状態のトレンド（履歴）を取得してより正確なバッテリーの状態を判断するようになっている。
【０００５】
そして、バッテリーの交換時にバックアップ電池を取り付けることで各電装品への電力供給を瞬時にでも遮断することなくバックアップ電池からバッテリーへの接続端子を介して各電気機器に電力を供給する構成をとっている。これによって、バッテリー交換時にバッテリー診断装置にも接続端子を介して電力が遮断されずに供給されるようになっている。
【０００６】
そのため、バッテリー状態検出装置内に記憶されたバッテリーの状態のトレンドに関するメモリがそのまま残り、バッテリー交換後にも交換前のバッテリーの状態が記憶されたままになってしまう。その結果、バッテリーの交換に伴う新しいバッテリーの状態をこのバッテリー診断装置によって正しく継続して診断することができなくなっている。
【０００７】
この従来の不都合な点を図面に基づいて説明する。図１５は、従来のバッテリーの接続監視装置５を説明する電気システムのブロック図であり、バックアップ電池７０（図１６参照）を取り付ける前の状態を示している。ここでバッテリー状態監視装置５１はバッテリー６０の電圧・電流・温度等を測定し、その充電状態や劣化状態等を診断する役目を果たしている。なお、バッテリー６０が故障したり老朽化したりすると交換が必要となる。この際に以前は単にバッテリー６０を車両から取り外し、新しいバッテリーに交換するだけであったが、近年の電子装備の増加によりバッテリー６０を外してしまうと、上述した各電装品１０１，１０２，・・・の記憶情報、即ちシートメモリの情報や、セキュリティシステム等の記憶情報が消去され、場合によっては機能不全を生じることが多くなった。この対策として上述したようにバックアップ電池７０により各電装品の電源電圧を保持しながらバッテリー交換を行うことが通常行われるようになってきた。
【０００８】
ここで、図１６は、図１５に続く従来のバッテリーの接続監視装置５を説明する電気システムのブロック図であり、バックアップ電池７０を取り付けた後の状態を示している。また、図１７は、図１６に続く従来のバッテリーの接続監視装置５を説明する電気システムのブロック図であり、バッテリー６０を取り外した後の状態を示している。
【０００９】
このバッテリー交換に際して、図１６に示すように車両のアクセサリソケット等にバックアップ電池７０を接続した後、故障したり老朽化したりしたバッテリー６０を取り外して新たなバッテリーに交換する。この交換の間、バッテリー状態監視装置５１には他の電装品と同様にバックアップ電池７０の電源電圧が印加された状態が継続する。即ち、図１６および図１７に示すようにバッテリー状態監視装置５１からはバッテリー６０の交換が行われたことが認識できない。その結果、バッテリー状態監視装置５１はバッテリー６０が交換されたにも関わらず、以前の累積された情報（バッテリー容量・充電状態・使用履歴等）に基づき診断を行ってしまい、誤った診断を行ってしまう。
【００１０】
本発明の目的は、バッテリー交換に伴ってバッテリー状態監視装置にバッテリー交換の情報を確実に伝えるバッテリーの接続監視装置を提供することにある。
【課題を解決するための手段】
【００１１】
上述の課題を解決するために、本発明の請求項１に係るバッテリーの接続監視装置は、
バッテリーと、
前記バッテリーに着脱可能に電気的に接続される接続端子と、
前記接続端子に電気的に接続され前記バッテリーの状態を監視するバッテリー状態監視
装置と、
前記バッテリーの電極に前記接続端子が正しく接続されているか否かを検出するバッテ
リー接続検知手段と、を備え、
前記バッテリー接続検知手段は、接触端子と絶縁体から構成され、
前記接触端子は、前記接続端子に形成されかつ前記バッテリーの電極に当該接続端子を導通させる互いに対向した一方の締め付け部と他方の締め付け部との間に配置され、前記接続端子を前記バッテリーの電極に締め付けた際に前記接触端子も前記バッテリーの電極に接触し、前記接続端子の締め付け部を前記バッテリーの電極から緩めた時に接触端子が前記バッテリーの電極から離間するように介装され、
前記絶縁体は、前記接続端子の一方の締め付け部と前記接触端子との間に介装されており、
前記バッテリー接続検知手段によって、前記バッテリー交換時に前記絶縁体を介して前記接続端子の一方の締め付け部と前記接触端子との間を電気的に絶縁させると共に、前記接続端子の他方の締め付け部と前記接触端子が所定距離離間することで、揮発性メモリを搭載する機器に電力を供給するバックアップ電池から前記バッテリー状態監視装置への電力供給を遮断することを特徴としている。
【００１２】
請求項１記載の発明によれば、係るバッテリー接続検知手段を有することで、バッテリーを交換する際に接続端子に電気的に接続されたバッテリー状態監視装置にこの接続端子を介してバックアップ電池から電力が供給された状態であっても、バッテリーが取り外されたことを、バッテリー接続検知手段を介してバッテリー状態監視装置に知らせることができる。その結果、バッテリー状態監視装置が記憶したバッテリーの情報を必要に応じて初期化（消去）することができる。
【００１８】
また、係るバッテリー接続検知手段がこのような構成を有することで、バッテリーの電極に接続端子が正しく接続されていないことを簡易な構成で確実に検出して、バッテリーが取り外された場合にバックアップ電池から電力を供給することなく、接続検知手段を介してバッテリー状態監視装置への電力供給を遮断することができる。
【発明の効果】
【００１９】
本発明のバッテリーの接続監視装置によれば、バッテリー交換に伴ってバッテリー状態監視装置にバッテリー交換の情報を確実に伝えることができる。
【発明を実施するための最良の形態】
【００２０】
以下、本発明の各実施形態に係るバッテリーの接続監視装置について図面に基づいて説明する。最初に、本発明の第１の参考実施形態に係るバッテリーの接続監視装置について説明する。図１は、本発明の第１の参考実施形態に係るバッテリーの接続監視装置１を示すブロック図であり、バックアップ電池７０（図２参照）を取り付ける前の状態を示している。また、図２は、図１に示したバッテリーの接続監視装置１を示すブロック図であり、バックアップ電池７０を取り付けた後の状態を示している。また、図３は、図１に示したバッテリーの接続監視装置１を示すブロック図であり、バックアップ電池７０を取り付けた後にバッテリー６０を取り外した状態を示している。また、図４は、図１に示したバッテリーの接続監視装置１において、接続端子１０をバッテリー６０から取り外した状態の端子接続部を示す平面図である。また、図５は、図１に示したバッテリーの接続監視装置１において、接続端子１０がバッテリー６０の電極６１に対して非締結状態にある場合の電気的等価モデル図である。また、図６は、図１に示したバッテリーの接続監視装置１において、接続端子１０をバッテリー６０に取り付けた状態の端子接続部を示す平面図である。また、図７は、図１に示したバッテリーの接続監視装置１において、接続端子１０がバッテリー６０の電極６１に対して締結状態にある場合の電気的等価モデル図である。
【００２１】
本発明の第１の参考実施形態に係るバッテリーの接続監視装置１は、図１ないし図４に示すように、バッテリー６０と、バッテリー６０の電極６１に着脱可能に電気的に接続された接続端子１０と、接続端子１０に電気的に接続されバッテリー６０の状態を監視するバッテリー状態監視装置１１と、バッテリー６０の電極６１に接続端子１０が正しく接続されているか否かを検出するバッテリー接続検知部１２と、を備えている。
【００２２】
接続端子１０は対向して延在する締め付け部１０ａ，１０ｂを備え、各締め付け部１０ａ，１０ｂに設けられた図示しない締め付け穴にボルト６２を挿通しナット６３で締め込むことで、バッテリー６０の電極６１に接続端子１０をしっかりと取り付けるようになっている。
【００２３】
また、バッテリーの接続監視装置１は、接続端子１０をバッテリー６０の電極６１から外した際にも接続端子１０に電圧を印加するバックアップ電池７０を取り付け可能になっている。そして、バッテリー接続検知部１２によりバッテリー６０の電極６１に接続端子１０が正しく接続されていないことを検知した際にこの検知信号をバッテリー状態監視装置１１に伝達するようになっている（図３の矢印Ａ参照）。
【００２４】
また、バッテリー６０およびバックアップ電池７０の電源電圧は、ヒューズ１１０，１１１，１１２，・・・を介して車両に搭載されている前述の各電装品、１０１，１０２，・・・に常に印加されるようになっている。
【００２５】
ここで、接続端子１０のバッテリー６０への接続は、上述のとおりバッテリー６０の電極６１に対しボルト６２およびナット６３等の締結具で接続端子１０を締結することで行われる。バッテリー接続検知部１２は、本実施形態の場合、図４に示すように接続端子側に設けられている。バッテリー接続検知部１２は、いわゆるプッシュスイッチから構成され、外部の機械的変位を電気接点の開・閉に変換する役目を果たしている。
【００２６】
接続端子１０がバッテリー６０の電極６１に対して非締結状態（接続端子１０をバッテリー６０の電極６１から外した状態）においてはバッテリー接続検知部１２をなすプッシュスイッチのプランジャが図４に示すように接続端子１０の一方の締め付け部１０ａによって押圧されなくなり、図５に示した電気的等価回路のように接点が開状態となる。
【００２７】
そして、バッテリー６０が交換されて接続端子１０がバッテリー６０の電極６１に対して再び締結状態になると、バッテリー接続検知部１２をなすプッシュスイッチのプランジャが図６に示すように接続端子１０の一方の締め付け部１０ａによって押圧され、図７に示すようにバッテリー接続検知部１２が閉状態となる。この接点の開閉情報はバッテリー状態監視装置１１に送られる（図３の矢印Ａ参照）。
【００２８】
本参考実施形態にかかるバッテリーの接続監視装置１がこのような構成を有することで、バッテリー６０を交換する際に接続端子１０に電気的に接続されたバッテリー状態監視装置１１に接続端子１０を介してバックアップ電池７０から電力が供給された状態であっても、バッテリー６０が取り外されたことを、バッテリー接続検知部１２を介してバッテリー状態監視装置１１に知らせることができる。その結果、バッテリー状態監視装置１１が記憶したバッテリー６０の情報（バッテリー容量・充電状態・使用履歴等）を必要に応じて初期化（消去）することができ、誤った情報に基づき交換後のバッテリー６０の状態監視を継続するのを回避する。
【００２９】
なお、上述した第１の参考実施形態の変形例として、バッテリー接続検知部１２に感圧導電ゴム等の感圧導電体１３を用い、感圧導電体１３の機械的変位を抵抗変化として検知することで、バッテリー６０の電極６１への接続端子１０の非締結状態（非接続状態）を検知する構成としてもよい。
【００３０】
図８は、本発明の第１の参考実施形態に係るバッテリーの接続監視装置１の変形例を示す図５および図７に対応する図である。
【００３１】
具体的には、バッテリー６０の電極６１に接する接続端子１０の内側に感圧導電体１３を貼り付ける。そして、ボルト６２およびナット６３を緩めて接続端子１０をバッテリー６０の電極６１から外した際に感圧導電体１３が非押圧状態になることによる抵抗値変化を検知して、接続端子１０がバッテリー６０の電極６１と電気的に非導通となったことを検知し、バッテリー６０の電極６１から接続端子１０が外されたと判断して、この検知信号を図３に矢印Ａで示すようにバッテリー状態監視装置１１に伝えてもよい。
【００３２】
このような構成を有することで、バッテリー６０を交換する際に接続端子１０に電気的に接続されたバッテリー状態監視装置１１に接続端子１０を介してバックアップ電池７０から電力が供給された状態であっても、バッテリー接続検知部１２を介してバッテリーが取り外されたことをバッテリー状態監視装置に知らせることができる。その結果、バッテリー状態監視装置１１が記憶したバッテリー６０の情報を必要に応じて初期化（消去）することができる。
【００３３】
続いて、本発明の第２の参考実施形態に係るバッテリーの接続監視装置２について説明する。なお、第１の参考実施形態に係るバッテリーの接続監視装置１と同等の構成については、対応する符号を付して詳細な説明を省略する。
【００３４】
図９は、本発明の第２の参考実施形態に係るバッテリーの接続監視装置２を示す斜視図である。また、図１０は、図９に示したバッテリーの接続監視装置２において、バッテリー６０の電極６１に接続端子２０が非締結状態にある場合の機械的な形態を示す側面図である。
【００３５】
本発明の第２の参考実施形態に係るバッテリーの接続監視装置２は、図９および図１０に示すように、バッテリー接続検知部２２が上述した実施形態およびその変形例と異なり、バッテリー６０の電極６１付近に設けられている。バッテリー接続検知部２２としては第１の参考実施形態と同等のいわゆるプッシュスイッチが使用されており、バッテリー６０の電極６１への接続端子２０の取り付けに伴うプッシュスイッチの機械的変位を電気接点の開・閉に変換する構成となっている。
【００３６】
具体的には、接続端子２０には、ボルト６２およびナット６３を介して接続端子２０をバッテリー６０の電極６１に締め付ける締め付け部２０ａ，２０ｂの他に、これと反対側の接続端子下端水平方向にプッシュスイッチ押し付け部２０ｃが延在形成されている。そして、接続端子２０が図１０の矢印Ｂに示すようにバッテリー上面に押し付けられて電極６１の基端側の所定位置にボルト６２およびナット６３で締結されると、バッテリー接続検知部２２をなすプッシュスイッチのプランジャが接続端子１０のプッシュスイッチ押し付け部２０ｃで押圧され、図７に示す第１の参考実施形態の場合のように接点が閉状態となる。
【００３７】
一方、バッテリー交換の為、接続端子２０がバッテリー６０の電極６１の所定位置から外されて接続端子２０がバッテリー６０の電極６１に対して非締結状態になると、バッテリー接続検知部２２をなすプッシュスイッチのプランジャが接続端子２０のプッシュスイッチ押し付け部２０ｃで押圧されなくなり、図５に示す第１の参考実施形態の場合のようにバッテリー接続検知部２２が開状態となる。そして、この接点の開閉情報は、図１に示す第１の参考実施形態の場合のようにバッテリー状態監視装置２１に送られる。
【００３８】
続いて、本発明の実施形態に係るバッテリーの接続監視装置３について説明する。なお、上述の実施形態に係るバッテリーの接続監視装置１，２と同等の構成については、対応する符号を付して詳細な説明を省略する。
【００３９】
図１１は、本発明の実施形態に係るバッテリーの接続監視装置３において、バッテリー６０の電極６１に接続端子３０が締結状態にある場合の機械的な形態を示す平面図である。また、図１２は、図１１に示した本発明の実施形態に係るバッテリーの接続監視装置３を含む電気システムのブロック図である。また、図１３は、本発明の実施形態に係るバッテリーの接続監視装置３において、接続端子３０がバッテリー６０の電極６１に対して非締結状態にある場合の機械的な形態を示す平面図である。また、図１４は、図１３に示した本発明の実施形態に係るバッテリーの接続監視装置３を含む電気システムのブロック図である。
【００４０】
本実施形態においては、バッテリー接続検知部３２は接触端子３２１と絶縁体３２２から構成され、これら接触端子３２１と絶縁体３２２が接続端子３０とバッテリー６０の電極６１の間に位置するように配置されている。なお、接触端子３２１は、接続端子３０の対向する締め付け部３０１，３０２の間に配置され、接続端子３０の締め付け部３０１，３０２をボルト６２およびナット６３で締め付けた際に接触端子３２１の一部がバッテリー６０の電極６１に接触し、接続端子３０の締め付け部３０１，３０２を電極６１から緩めた時に接触端子３２１の一部が電極６１から離間するように介装されている。また、絶縁体３２２は、接続端子３０の一方の締め付け部３０１と接触端子３２１との間に介装されている。なお、絶縁体３２２は、接続端子３０の締め付け部３０１，３０２をバッテリー６０の電極６１に締め付けている際も電極６１から外している際も接続端子３０の一方の締め付け部３０１と接触端子３２１を電気的に絶縁するようになっている。
【００４１】
接続端子３０がボルト６２およびナット６３を介してバッテリー６０の電極６１の所定位置に締結されると、図１１に示すように接触端子３２１がバッテリー６０の電極６１に接触する。この際、電気的には図１２に示す状態となりバッテリー状態監視装置３１にはバッテリー６０の電源電圧が印可される。
【００４２】
接続端子３０がバッテリー６０の電極６１から外されると、接触端子３２１と接続端子３０の一方の締め付け部３０１との間には絶縁体３２２が介在されかつ接触端子３２１と接続端子３０の他方の締め付け部３０２との間は或る程度の距離だけ離間しているので、図１３に示すように接触端子３２１とバッテリー６０の電極６１との接触が絶たれ、接触端子３２１と接続端子３０との間は図１４に示すように非導通状態となる。そのため、バッテリー交換時に接続端子３０にバックアップ電池７０の電源電圧を印加しても接触端子３２１にバックアップ電池７０の電源電圧が印加されることはない。
【００４３】
このような構成によって、バッテリー状態監視装置３１への電力供給を強制的に遮断することで、バッテリー状態監視装置３１に記憶された交換前のバッテリー６０の情報（バッテリー容量・充電状態・使用履歴等）を消去して初期化する。すなわち、本実施形態にかかるバッテリーの接続監視装置３によるとバッテリー６０の電極６１に接続端子３０が正しく接続されていないことを簡易な構成で確実に検出して、バッテリー６０の電極６１から接続端子３０が取り外されたことを、バッテリー接続検知部３２を介してバッテリー状態監視装置３１に確実に知らせることができる。
【００４４】
なお、この本実施形態に係るバッテリーの接続監視装置３によると、バッテリー６０の交換と同時にバッテリー状態監視装置３１にはバックアップ電池７０からの電源電圧が印加されなくなるが、その機能上最低限必要な情報についてはあらかじめ不揮発性メモリに記憶しておき、学習により記憶した交換前のバッテリー６０の情報（バッテリー容量・充電状態・使用履歴等）のみを消去するようにすればよい。
【００４５】
そして、バッテリー交換を終えて再び図１１の状態に復帰すると、バッテリー状態監視装置３１への電源供給が再開され、バッテリー状態監視装置３１が交換後の新たなバッテリーの情報の取得を開始する。
【００４６】
以上説明したように、本発明によれば、上述したバッテリー接続検知部を有することで、バッテリーを交換する際に接続端子に電気的に接続されたバッテリー状態監視装置にこの接続端子を介してバックアップ電池から電力が供給された状態であっても、バッテリーが取り外されたことを、バッテリー接続検知部を介してバッテリー状態監視装置に知らせることができる。その結果、バッテリー状態監視装置が記憶したバッテリーの情報を必要に応じて初期化（消去）することができる。
【００４７】
この場合、バッテリー接続検知部は接続端子側に設けられていてもよく、バッテリー側に設けられていてもよい。
【００４８】
また、バッテリーの電極に接続端子が正しく接続されていない場合にバッテリー接続検知部が検知信号をバッテリー状態監視装置に伝達することに代えて、バッテリー接続検知部によってバックアップ電池からバッテリー状態監視装置への電力供給を遮断するようにしてもよい。
【図面の簡単な説明】
【００４９】
【図１】本発明の第１の参考実施形態に係るバッテリーの接続監視装置を示すブロック図であり、バックアップ電池を取り付ける前の状態を示している。
【図２】図１に示したバッテリーの接続監視装置を示すブロック図であり、バックアップ電池を取り付けた後の状態を示している。
【図３】図１に示したバッテリーの接続監視装置を示すブロック図であり、バックアップ電池を取り付けた後にバッテリーを取り外した状態を示している。
【図４】図１に示したバッテリーの接続監視装置において、接続端子をバッテリーから取り外した状態の端子接続部を示す平面図である。
【図５】図１に示したバッテリーの接続監視装置において、接続端子がバッテリーの電極に対して非締結状態にある場合の電気的等価モデル図である。
【図６】図１に示したバッテリーの接続監視装置において、接続端子をバッテリーの電極に取り付けた状態の端子接続部を示す平面図である。
【図７】図１に示したバッテリーの接続監視装置において、接続端子がバッテリーの電極に対して締結状態にある場合の電気的等価モデル図である。
【図８】本発明の第１の参考実施形態に係るバッテリーの接続監視装置の変形例を示す図５および図７に対応する図である。
【図９】本発明の第２の参考実施形態に係るバッテリーの接続監視装置を示す斜視図である。
【図１０】図９に示したバッテリーの接続監視装置において、接続端子がバッテリーの電極に対して非締結状態にある場合の機械的な形態を示す側面図である。
【図１１】本発明の実施形態に係るバッテリーの接続監視装置において、接続端子がバッテリーの電極に対して締結状態にある場合の機械的な形態を示す平面図である。
【図１２】図１１に示した本発明の実施形態に係るバッテリーの接続監視装置を含む電気システムのブロック図である。
【図１３】本発明の実施形態に係るバッテリーの接続監視装置において、接続端子がバッテリーの電極に対して非締結状態にある場合の機械的な形態を示す平面図である。
【図１４】図１３に示した本発明の実施形態に係るバッテリーの接続監視装置を含む電気システムのブロック図である。
【図１５】従来のバッテリーの接続監視装置を説明する電気システムのブロック図であり、バックアップ電池を取り付ける前の状態を示している。
【図１６】図１５に続く従来のバッテリーの接続監視装置を説明する電気システムのブロック図であり、バックアップ電池を取り付けた後の状態を示している。
【図１７】図１６に続く従来のバッテリーの接続監視装置を説明する電気システムのブロック図であり、バッテリーを取り外した状態を示している。
【符号の説明】
【００５０】
１，２，３，５    バッテリーの接続監視装置
１０    接続端子
１０ａ，１０ｂ    締め付け部
１１    バッテリー状態監視装置
１２    バッテリー接続検知部
１３    感圧導電体
２０    接続端子
２０ａ，２０ｂ    締め付け部
２０ｃ    プッシュスイッチ押し付け部
２１    バッテリー状態監視装置
２２    バッテリー接続検知部
３０    接続端子
３１    バッテリー状態監視装置
３２    バッテリー接続検知部
５１    バッテリー状態監視装置
６０    バッテリー
６１    電極
６２    ボルト
６３    ナット
７０    バックアップ電池
１０１，１０２，・・・    電装品
１１０，１１１，１１２，・・・    ヒューズ
３０１，３０２    締め付け部
３２１    接触端子
３２２    絶縁体
【図１】
0005137597.tif 000002
【図２】
0005137597.tif 000003
【図３】
0005137597.tif 000004
【図４】
0005137597.tif 000005
【図５】
0005137597.tif 000006
【図６】
0005137597.tif 000007
【図７】
0005137597.tif 000008
【図８】
0005137597.tif 000009
【図９】
0005137597.tif 000010
【図１０】
0005137597.tif 000011
【図１１】
0005137597.tif 000012
【図１２】
0005137597.tif 000013
【図１３】
0005137597.tif 000014
【図１４】
0005137597.tif 000015
【図１５】
0005137597.tif 000016
【図１６】
0005137597.tif 000017
【図１７】
0005137597.tif 000018